(57)【要約】【課題】毛又は繊維を束ねて形成されたペン先を備えたペン型パネル入力装置において、ペン先を効率的に保護できるペン型パネル入力装置を提供することを課題としている。【解決手段】デジタル機器に設けられたタッチパネルへの入力を行うペン型パネル入力装置であって、毛又は繊維の束を筆の穂状に束ねたペン先４を先端側に有する軸部６と、該軸部６の少なくとも一部が軸方向にスライド可能に挿入されて収容される収容筒２と備え、前記ペン先４は、軸部６の収容筒２に対する上記スライドによって、収容筒２内に収容される収容姿勢と、収容筒２内から先端側にタッチ操作可能に突出する使用姿勢とに切換え可能にした。【選択図】図２
0003183567.tif 000002
【実用新案登録請求の範囲】
【請求項１】
デジタル機器に設けられたタッチパネルへの入力を行うペン型パネル入力装置であって、毛又は繊維の束を筆の穂状に束ねたペン先（４）を先端側に有する軸部（６）と、該軸部（６）の少なくとも一部が軸方向にスライド可能に挿入されて収容される収容筒（２）と備え、前記ペン先（４）は、軸部（６）の収容筒（２）に対する上記スライドによって、収容筒（２）内に収容される収容姿勢と、収容筒（２）内から先端側にタッチ操作可能に突出する使用姿勢とに切換えられるペン型パネル入力装置。
【請求項２】
ペン先（４）が使用姿勢に切換えられた状態で軸部（６）を収容筒（２）に係脱可能に位置決め係止する係止部（１８）を、収容筒（２）の周囲に形成した請求項１に記載のペン型パネル入力装置。
【請求項３】
軸部（６）と一体的に軸方向に摺動するスライド片（１４）を、前記収容筒（２）の外周側に支持した請求項２に記載のペン型パネル入力装置。
【請求項４】
前記スライド片（１４）と一体で使用姿勢側にスライド移動される筒状部（３Ａ）を、収容筒（２）に外装し、収容筒（２）の外周面と筒状部（３Ａ）の内周面の一方側面に係止部（１８）となる凸部（１９）を形成するとともに、他方側面に係止部（１８）となる凹部（２１）を係止し、該凸部（１９）と凹部（２１）とを凹凸嵌合させて軸部（６）を収容筒（２）に係止する請求項３に記載のペン型パネル入力装置。
【請求項５】
ペン先（４）をカバーするように収容筒（２）の先端側に装着されるキャップ（３）を設け、キャップ（３）の筒状部分によって上記筒状部（３Ａ）を構成し、収容筒（２）の外周面を基端側からキャップの筒状部（３Ａ）に挿入することにより、スライド片（１４）をスライド操作する請求項４に記載のペン型パネル入力装置。
【請求項６】
収容筒（２）の基端部外周に前記凹部（２１）を形成し、ペン先（４）を使用姿勢に切換える筒状部（３Ａ）の内周位置に前記凸部（１９）を形成した請求項４又は５に記載のペン型パネル入力装置。
【請求項７】
スライド片（１４）及び収容筒（２）の互いの対向面の一方側面に係止部（１８）となる凸部（１９）を形成するとともに、他方側面に係止部（１８）となる凹部（２１）を係止し、該凸部（１９）と凹部（２１）とを凹凸嵌合させて軸部（６）を収容筒（２）に係止する請求項３に記載のペン型パネル入力装置。
【請求項８】
スライド片（１４）を、収容筒（２）に外装される筒状に成形されたスライド筒によって構成した請求項３乃至７の何れかに記載のペン型パネル入力装置。
【請求項９】
スライド片（１４）と、軸部（６）とを連結ピン（１６）によって連結することにより、スライド片（１４）及び軸部（６）が軸方向に一体的に摺動される状態とし、該連結ピン（１６）の軸方向へのスライドを許容するスライド孔（１７）を、収容筒（２）に穿設した請求項３乃至８の何れかに記載のペン型パネル入力装置。
【請求項１０】
収容筒（２）の内周側と軸部（６）の内周面側の一方側面に係止部（１８）となる凸部（１９）を形成するとともに、他方側面に係止部（１８）となる凹部（２１）を係止し、該凸部（１９）と凹部（２１）とを凹凸嵌合させて軸部（６）を収容筒（２）に係止する請求項２に記載のペン型パネル入力装置。
【請求項１１】
前記ペン先（４）の基端側の直径を７ｍｍ以下にした請求項１乃至１０の何れかに記載のペン型パネル入力装置。
【請求項１２】
前記ペン先（４）の基端側の直径を５ｍｍとした請求項１１に記載のペン型パネル入力装置。
【請求項１３】
前記ペン先（４）は、収容筒（２）の先端側から中途部まで径が緩やかに広がるとともに、該中途部から先端に向かって楕円状に滑らかに径が小さくなるように形成された請求項１乃至１２の何れかに記載のペン型パネル入力装置。
【考案の詳細な説明】
【技術分野】
【０００１】
本考案は、デジタル機器に設けられたタッチパネルへの入力を行うペン型パネル入力装置に関する。
【背景技術】
【０００２】
従来、パソコンや携帯端末等のデジタル機器をタッチパネルでタッチ操作する際は、タッチパネルに直接指をあてることにより入力操作していたが、指でタッチパネルを直接タッチすると、汗などによってタッチパネル上のすべりが悪くなったり、タッチパネルが汗で汚れたりすることにより操作性や視認性が悪化する場合があった。
【０００３】
これに対し、ペン先に導電性のゴムを設け、導電性を有する軸体を介してタッチパネルから手先までの導電性を確保したものを用いる特許文献１に記載のペン型パネル入力装置が従来公知である。このペン型パネル入力装置によれば、タッチパネルを汚すことなく操作することができるが、タッチパネル上でのスライド操作を行う際の抵抗が大きいため、操作性に問題が残るとともに、タッチパネル上にスライド跡が残る場合もある。
【０００４】
この他に、ペン先に導電性繊維の筆を用い、導電性の軸体を介してタッチパネルから手先までの導電性を確保した特許文献２に記載のペン型パネル入力装置も従来公知である。該ペン型パネル入力装置によれば、タッチパネル上でのスライド操作もスムーズであって、タッチパネルを傷めることがない。
【先行技術文献】
【特許文献】
【０００５】
【特許文献１】特許第５１５２７７１号公報
【特許文献２】特開２０１２−１０８８９４号公報
【考案の概要】
【考案が解決しようとする課題】
【０００６】
しかし、上記特許文献２のペン型パネル入力装置は、導電性の繊維を束ねて形成されたペン先が使用しない場合にも常に露出するため、繊維が変形したり、抜けたりすることによりペン先が傷み易い。
【０００７】
本考案は、毛又は繊維を束ねて形成されたペン先を備えたペン型パネル入力装置において、ペン先を効率的に保護できるペン型パネル入力装置を提供することを課題としている。
【課題を解決するための手段】
【０００８】
上記課題を解決するため第１に、デジタル機器に設けられたタッチパネルへの入力を行うペン型パネル入力装置であって、毛又は繊維の束を筆の穂状に束ねたペン先４を先端側に有する軸部６と、該軸部６の少なくとも一部が軸方向にスライド可能に挿入されて収容される収容筒２と備え、前記ペン先４は、軸部６の収容筒２に対する上記スライドによって、収容筒２内に収容される収容姿勢と、収容筒２内から先端側にタッチ操作可能に突出する使用姿勢とに切換えられることを特徴としている。
【０００９】
第２に、ペン先４が使用姿勢に切換えられた状態で軸部６を収容筒２に係脱可能に位置決め係止する係止部１８を、収容筒２の周囲に形成したことを特徴としている。
【００１０】
第３に、軸部６と一体的に軸方向に摺動するスライド片１４を、前記収容筒２の外周側に支持したことを特徴としている。
【００１１】
第４に、前記スライド片１４と一体で使用姿勢側にスライド移動される筒状部３Ａを、収容筒２に外装し、収容筒２の外周面と筒状部３Ａの内周面の一方側面に係止部１８となる凸部１９を形成するとともに、他方側面に係止部１８となる凹部２１を係止し、該凸部１９と凹部２１とを凹凸嵌合させて軸部６を収容筒２に係止することを特徴としている。
【００１２】
第５に、ペン先４をカバーするように収容筒２の先端側に装着されるキャップ３を設け、キャップの筒状部分によって上記筒状部３Ａを構成し、収容筒２の外周面を基端側からキャップの筒状部３Ａに挿入することにより、スライド片１４をスライド操作することを特徴としている。
【００１３】
第６に、収容筒２の基端部外周に前記凹部２１を形成し、ペン先４を使用姿勢に切換える筒状部３Ａの内周位置に前記凸部１９を形成したことを特徴としている。
【００１４】
第７に、スライド片１４及び収容筒２の互いの対向面の一方側面に係止部１８となる凸部１９を形成するとともに、他方側面に係止部１８となる凹部２１を係止し、該凸部１９と凹部２１とを凹凸嵌合させて軸部６を収容筒２に係止することを特徴としている。
【００１５】
第８に、スライド片１４を、収容筒２に外装される筒状に成形されたスライド筒によって構成したことを特徴としている。
【００１６】
第９に、スライド片１４と、軸部６とを連結ピン１６によって連結することにより、スライド片１４及び軸部６が軸方向に一体的に摺動される状態とし、該連結ピン１６の軸方向へのスライドを許容するスライド孔１７を、収容筒２に穿設したことを特徴としている。
【００１７】
第１０に、収容筒２の内周側と軸部６の内周面側の一方側面に係止部１８となる凸部１９を形成するとともに、他方側面に係止部１８となる凹部２１を係止し、該凸部１９と凹部２１とを凹凸嵌合させて軸部６を収容筒２に係止することを特徴としている。
【００１８】
第１１に、前記ペン先４の基端側の直径を７ｍｍ以下で成形したことを特徴としている。
【００１９】
第１２に、前記ペン先４の基端側の直径を５ｍｍとしたことを特徴としている。
【００２０】
第１３に、前記ペン先４は、収容筒２の先端側から中途部まで径が緩やかに広がるとともに、該中途部から先端に向かって楕円状に滑らかに径が小さくなるように形成されたことを特徴としている。
【考案の効果】
【００２１】
上記構成によれば、タッチパネルへの入力操作を行わない場合に、毛又は繊維の束を筆の穂状に束ねたペン先を先端側に有する軸部を収容筒の軸方向にスライドさせることにより、ペン先を収容筒内に収容できるため、ペン先を効率的に保護できる。
【００２２】
また、ペン先が使用姿勢に切換えられた状態で軸部を収容筒に係脱自在に位置決め係止する係止部を、収容筒の周囲に形成したものによれば、ペン先が使用姿勢に切換えられた状態を確実に保持できるため、ペン先によるタッチ操作時に把持する収容部が押圧方向にスライドせず、タッチ操作がより安定する。
【００２３】
なお、ペン先を７ｍｍ以下、より具体的には５ｍｍとしたものによれば、使用姿勢に切換えられたペン先によるタッチパネル上での入力操作が良好になる。
【図面の簡単な説明】
【００２４】
【図１】タッチペンの収納状態を示した断面図である。
【図２】タッチペンの使用状態を示した断面図である。
【図３】タッチペンの使用状態を示した図である。
【図４】本体とキャップを分離した状態を示した図である。
【図５】別実施例１の係止部を示した図である。
【図６】別実施例２の係止部を示した図である。
【考案を実施するための形態】
【００２５】
以下図示する実施形態について説明する。図１は、タッチペンの収納状態を示した図であり、図２及び図３は、タッチペンの使用状態を示した図であり、図４は、本体とキャップを分離した状態を示した図である。本考案のペン型パネル入力装置であるタッチペン１は、一端が開放された筒状の本体である収容筒２と、該収容筒２の端部側の何れか一方側に外装挿脱されるキャップ３とを備えている。
【００２６】
前記収容筒２の開放端側には、毛又は繊維の束を筆の穂状に束ねたペン先４が形成された軸部６が設けられており、該軸部６が収容筒２の軸方向にスライド可能に構成されている。該軸部６をスライドさせることにより、ペン先４を収容筒２の開放端側から露出させてペン先４によるタッチパネルへのタッチ操作ができる使用姿勢と、ペン先４全体を収容筒２内に収容した収容姿勢とに姿勢切換え可能に構成されている。
【００２７】
また、収容筒２は、開放端側に配設された前記軸部６を収容筒２の内部（基端部）側に引込むように付勢する収縮スプリング（弾性部材）７が設けられており、該収縮スプリング７により軸部６側のペン先４が収納位置となるように常時付勢されている。
【００２８】
前記軸部６は、先端側に筆状のペン先４が形成され、基端部側にスリーブ状に成形された内スライダー８が設けられている。該内スライダー８の基端部側には、前記収縮スプリング７の一端側が取付固定されるボス部９が突出するように嵌合係止されており、収容筒２の内周基端部側にもボス部１１が突設されて、前記収縮スプリング７の他端側が該ボス部１１に側に嵌合係止されている。
【００２９】
軸部先端のペン先４は、導電性を有する毛又は繊維の束を短管状の筆軸１２に収束させた状態で嵌合させ、その基端部を接着剤等で一体的に付着させた状態で皿状の筆固定部１３に固定することにより成形されている。該構成のペン先４を備えた筆軸１２は、受部材１５を介して内スライダー８と連結されて一体的にスライド移動する。なお、ペン先４の形状については後述する。
【００３０】
また、該軸部に６は、収容筒２に外装される筒状に形成されて、軸部６とともに収容筒２の軸方向に一体的にスライド移動するスライド筒（スライド片）１４が設けられている。該スライド筒１４は、連結ピン１６によって軸部６の内スライダー８と連結されることによって、軸部６と一体的にスライドする。このとき、収容筒２には、上記の連結ピン１６が挿通されて軸部６及びスライド筒１４の軸方向のスライド移動をガイドするスライド孔１７が形成されている。
【００３１】
言い換えると、収容筒２の内側をスライドする軸部６と、収容筒２外周側をスライドするスライド筒１４とは、収容筒２に形成されたスライド孔１７を貫通するように配設された連結ピン１６により連結されており、軸部６及びスライド筒１４は、連結ピン１６がスライド孔１７でガイドされる範囲内でスライド移動可能となるように構成されている。
【００３２】
前記キャップ３は、収容筒２に端部側から挿脱自在に挿入して外装できる筒状に形成された筒状部３Ａと、該筒状部３の一端側を閉塞する閉塞部３Ｂとから形成されており、筒状部３Ａの他端側は開放されている。該構成のキャップ３を、開放端側から収容筒２の端部側に外装するように取付けると、筒状部３Ａの開放端側が前記スライド筒１４の端部側と当接するように構成されている。
【００３３】
すなわち、キャップ３を収容筒２の基端部側から取付けた場合には、筒状部３Ａの挿入端側がスライド筒１４の端部（基端）側と当接する。該状態でさらに挿入方向に押込むことにより、スライド筒１４を収縮スプリング７の弾性力に抗して収容筒２の開放端側へスライドさせることができる。これにより、ペン先４を収容筒２の先端側に露出させた使用姿勢に切換えることができる。このとき、筒状部３Ａと収容筒２には、ペン先４を使用姿勢で位置決めするための係止部１８が設けられている。詳しくは後述する。
【００３４】
一方、キャップ３を収容筒２の開放端側から取付けた場合には、キャップ３の挿入位置が、筒状部３Ａとスライド筒１４の端部（ペン先側端部）とが当接した位置で位置決めされる。ちなみに、ペン先４は収縮スプリング７の付勢力によって収容筒２内に収容された収容姿勢に切換えられている。
【００３５】
上記構成より、ペン先４は、キャップ３の筒状部３Ａを用いてペン先４を使用姿勢に切換えるか、手動でスライド筒１４をスライド移動させない限りは、ペン先４が収容筒２内に収容された収容姿勢に切換えられた状態で保護されるため、毛筆状のペン先４が不測に汚れたり変形したりすることを効率的に防止できる。
【００３６】
次に、前記係止部１８について説明する。係止部１８は、収容筒２の基端部外周側に一周にわたって凹設された凹部２１と、筒状部３Ａの内周面側に突設された凸部１９とから構成されており、該凹部２１と凸部１９が互いに凹凸嵌合するように形成されている。該凸部１９はキャップ３内周面に沿ったリング状に突起したものであっても、一部だけ突起したものであっても良い。
【００３７】
該構成によれば、キャップ３を収容筒２の基端側から取付け、キャップ３をペン先４が使用姿勢となるまで押込むと、キャップ３内周面側の凸部１９が収容筒２側の凹部２１に嵌合されることにより、ペン先４が使用姿勢に切換えられた位置で係止（位置決め）される（図２参照）。ちなみに、該係止部１８は、キャップ３側に凹部２１を形成し、収容筒２側に凸部１９を形成した構成としても良い。
【００３８】
ちなみに、キャップ３の内周面側であって且つ凸部１９よりも開放端側の位置に、円筒状の板バネ２２が配設されている。該板バネ２２によれば、キャップ３を収容筒２端部の何れか一方に取付けた際に、板バネ２２が収容筒２の外周側を掴むように付勢するため、収容筒２に外装されたキャップ３が自重では抜けなくなるため、キャップの装着状態がより安定する。なお、板バネ２２の付勢力に抗して引張ることでキャップ３を容易に取り外せる。
【００３９】
次に、ペン先４の形状について説明する。毛又は繊維を筆の穂状に束ねた前記筆軸１２は、直径が７ｍｍよりも小さく、さらに好ましくは直径が５ｍｍとなるように構成されている。また、ペン先４の形状は、収容筒２の先端側から中途部まで径が緩やかに広がるとともに、該中途部から先端に向かって楕円状に滑らかに径が小さくなるように毛先を切りそろえることにより成形されている。すなわち、ペン先４の滑らかな先端部分の面は、すべて繊維の端面側で構成されるため、ペン先４の強度が高いものとなる。
【００４０】
上記形状、太さのペン先４によれば、タッチパネルへのタッチ操作をする際に、ペン先４でタッチパネル側が必要以上に隠れないため、操作性に優れる。
【００４１】
次に、図５に基づき、前記係止部の別実施例１について上述の例と異なる点を説明する。図５は、別実施例１の係止部を示した図である。図５に示すように、係止部１８は、スライド筒１４の先端内周面側に凹部２１を形成し、該凹部２１に係止される凸部１９を収容筒２の中途部の外周面側に設けた構成としても良い。
【００４２】
該構成によれば、軸部６と一体的にスライドするスライド筒１４と、収容筒２との間に係止部１８が設けられるため、キャップ３を用いることなく、ペン先４を使用姿勢に切換えた状態で位置決めできる。
【００４３】
次に、図６に基づき、前記係止部の別実施例２について上述の例と異なる点を説明する。図６は、別実施例２の係止部を示した図である。図６に示すように、係止部１８は、軸部６を構成する筆筒１２の先端の外周面側に凹部２１を形成し、該凹部２１に係止される凸部１９を収容筒２の先端内周面側に設けた構成としても良い。
【００４４】
該構成によれば、キャップ３を用いることなくペン先４を使用姿勢に切換えた状態で位置決めすることができるとともに、係止部１８を形成する凹部２１と凸部１９が、タッチペン１使用時に把持部となる収容筒２やスライド筒１４の外周面側に現れない構成となる。
【符号の説明】
【００４５】
２    収容筒
３Ａ  筒状部
３    キャップ
４    ペン先
６    軸部
７    収縮スプリング（弾性部材）
１４    スライド筒（スライド片）
１６    連結ピン
１７    スライド孔
１８    係止部
１９    凸部
２１    凹部
【図１】
0003183567.tif 000003
【図２】
0003183567.tif 000004
【図３】
0003183567.tif 000005
【図４】
0003183567.tif 000006
【図５】
0003183567.tif 000007
【図６】
0003183567.tif 000008